(57)【要約】【課題】高周波信号の伝送を可能とするフレキシブル配線基板用のコネクタを提供すること。【解決手段】フレキシブル配線基板用コネクタ９は、コネクタ本体１０と、コネクタ本体１０に設けられた複数のコンタクト端子２０と、コネクタ本体１０により回動可能に支持されると共に、コネクタ本体１０側にフレキシブル配線基板８を押圧するように構成されたロック部３４を有するロックカバー３０と、コネクタ本体１０に対して取り付けられると共に、フレキシブル配線基板８側にロック部３４を押圧するように構成された１以上の導電性の押圧片４０とを含む。コンタクト端子２０及び押圧片４０は、互いに電気的に非接続であって、かつ、コネクタ本体１０に対して別々に設けられる。【選択図】図５
2020155243.tif 000002
【特許請求の範囲】
【請求項１】
フレキシブル配線基板用コネクタ（９）であって、
コネクタ本体（１０）と、
前記コネクタ本体（１０）に設けられた複数のコンタクト端子（２０）と、
前記コネクタ本体（１０）により回動可能に支持されると共に、前記コネクタ本体（１０）側に前記フレキシブル配線基板（８）を押圧するように構成されたロック部（３４）を有するロックカバー（３０）と、
前記コネクタ本体（１０）に対して取り付けられると共に、前記フレキシブル配線基板（８）側に前記ロック部（３４）を押圧するように構成された１以上の導電性の押圧片（４０）とを備え、
前記コンタクト端子（２０）及び前記押圧片（４０）は、互いに電気的に非接続であって、かつ、前記コネクタ本体（１０）に対して別々に設けられることを特徴とする、フレキシブル配線基板用コネクタ。
【請求項２】
前記押圧片（４０）は、前記ロックカバー（３０）の回動軸に対して直交するように配置された平板部分を含む、請求項１に記載のフレキシブル配線基板用コネクタ。
【請求項３】
前記コネクタ本体（１０）は、誘電体（５０）を収容する収容部（１９）を含み、
前記押圧片（４０）は、前記収容部（１９）から前記誘電体（５０）が脱落することを阻止する、請求項１又は２に記載のフレキシブル配線基板用コネクタ。
【請求項４】
前記押圧片（４０）は、押圧片主部（４１）と回転阻止部（４２）を含む屈曲部材である、請求項１乃至３のいずれか一項に記載のフレキシブル配線基板用コネクタ。
【請求項５】
前記押圧片（４０）は、前記ロックカバー（３０）の回動軸に沿う方向において隣接する前記コンタクト端子（２０）の間に設けられる、請求項１乃至４のいずれか一項に記載のフレキシブル配線基板用コネクタ。
【請求項６】
少なくとも一つの信号端子（２０Ｓ）と少なくとも一つのグランド端子（２０Ｇ）の組み合わせから成るコンタクト端子（２０）の端子配列サブセット（２０Ｕ）が前記ロックカバー（３０）の回動軸に沿う方向に配列され、
各押圧片（４０）は、前記端子配列サブセット（２０Ｕ）の配列方向において隣接する一方の端子配列サブセット（２０Ｕ）に含まれる少なくとも一つの信号端子（２０Ｓ）と他方の端子配列サブセット（２０Ｕ）に含まれる少なくとも一つの信号端子（２０Ｓ）の間に設けられる、請求項１乃至５のいずれか一項に記載のフレキシブル配線基板用コネクタ。
【発明の詳細な説明】
【技術分野】
【０００１】
本発明は、フレキシブル配線基板用コネクタに関する。
【背景技術】
【０００２】
特許文献１に記載されたフレキシブル配線基板用コネクタは、コネクタ本体に抑え金具が取り付けられ、フレキシブル配線基板の上方変位が規制されるようになっている。結果として、フレキシブル配線基板から受ける力（反力）に応じて加圧部材が解放位置側に回動し、フレキシブル配線基板に対する加圧部材からの加圧力の低下が抑制される。同文献の図３に示すように、接触子は、Ｕ字状形状を呈し、接触フィンガー部４と、加圧部材の回動を支持する円形状部分５を含む。
【先行技術文献】
【特許文献】
【０００３】
【特許文献１】特許第３０２９９８５号公報
【発明の概要】
【発明が解決しようとする課題】
【０００４】
特許文献１に開示のコネクタの接触子は、信号伝送路の部分（上述の符号４が付与された部分）と加圧部材を抑える部分（上述の符号５が付与された部分）が一体化されている。この構成は、高周波信号の伝送において不利に働き得る。例えば、信号伝送路の部分と加圧部材を抑える部分の間に寄生容量が存在し、結果として、高周波信号の伝送を困難にする。本願発明者は、高周波信号の伝送を可能とするフレキシブル配線基板用コネクタを提供するという新たな課題を見出した。
【課題を解決するための手段】
【０００５】
本開示の一態様に係るフレキシブル配線基板用コネクタは、コネクタ本体と、コネクタ本体に設けられた複数のコンタクト端子と、コネクタ本体により回動可能に支持されると共に、コネクタ本体側にフレキシブル配線基板を押圧するように構成されたロック部を有するロックカバーと、コネクタ本体に対して取り付けられると共に、フレキシブル配線基板側にロック部を押圧するように構成された１以上の導電性の押圧片とを含む。コンタクト端子及び押圧片は、互いに電気的に非接続であって、かつ、コネクタ本体に対して別々に設けられる。
【０００６】
幾つかの実施形態においては、押圧片は、ロックカバーの回動軸に対して直交するように配置された平板部分を含む。
【０００７】
幾つかの実施形態においては、コネクタ本体は、誘電体を収容する収容部を含み、押圧片は、収容部から誘電体が脱落することを阻止する。
【０００８】
幾つかの実施形態においては、押圧片は、押圧片主部と回転阻止部を含む屈曲部材である。
【０００９】
幾つかの実施形態においては、押圧片は、ロックカバーの回動軸に沿う方向において隣接するコンタクト端子の間に設けられる。
【００１０】
幾つかの実施形態においては、少なくとも一つの信号端子と少なくとも一つのグランド端子の組み合わせから成るコンタクト端子の端子配列サブセットがロックカバーの回動軸に沿う方向に配列され、
各押圧片は、端子配列サブセットの配列方向において隣接する一方の端子配列サブセットに含まれる少なくとも一つの信号端子と他方の端子配列サブセットに含まれる少なくとも一つの信号端子の間に設けられる。
【発明の効果】
【００１１】
本開示の一態様によれば、高周波信号の伝送を可能とするフレキシブル配線基板用コネクタを提供することができる。
【図面の簡単な説明】
【００１２】
【図１】本開示の一態様に係るフレキシブル配線基板用コネクタの概略的な斜視図である。
【図２】本開示の一態様に係るフレキシブル配線基板用コネクタの概略的な斜視図であり、図１の反対側が示される。
【図３】本開示の一態様に係るフレキシブル配線基板用コネクタの概略的な上面図である。
【図４】本開示の一態様に係るフレキシブル配線基板用コネクタの概略的な前側面図である。
【図５】本開示の一態様に係るフレキシブル配線基板用コネクタにおける図４のＶ−Ｖ線に沿う概略的な断面図であり、ロックカバーがロック状態にある。
【図６】本開示の一態様に係るコネクタにおける概略的な断面図であり、ロックカバーが非ロック状態にある。
【図７】本開示の一態様に係るフレキシブル配線基板用コネクタにおいて、ロックカバーが非ロック状態においてフレキシブル配線基板が挿入されることを示す模式図である。
【図８】本開示の一態様に係るフレキシブル配線基板用コネクタにおいて、ロックカバーが非ロック状態においてフレキシブル配線基板が挿入された状態を示す模式図である。
【図９】本開示の一態様に係るフレキシブル配線基板用コネクタにおいて、ロックカバーが非ロック状態からロック状態に回動され、フレキシブル配線基板がロックカバーとコネクタ本体の間で挟まれることを示す模式図である。フレキシブル配線基板は、ロックカバーのロック部とコンタクト端子の間で挟まれる。
【図１０】本開示の一態様に係るフレキシブル配線基板用コネクタにおいてフレキシブル配線基板がロックカバーとコネクタ本体の間で挟まれ、フレキシブル配線基板の端子がコンタクト端子に接触した状態を示す模式図である。
【発明を実施するための形態】
【００１３】
以下、図１乃至図１０を参照しつつ、本開示に係る様々な実施形態及び特徴について説明する。当業者は、過剰説明を要せず、各実施形態及び／又は各特徴を組み合わせることができ、この組み合わせによる相乗効果も理解可能である。実施形態間の重複説明は、原則的に省略する。参照図面は、発明の記述を主たる目的とするものであり、作図の便宜のために簡略化されている。各特徴は、本明細書に開示されたコネクタ及びその製造方法にのみ有効であるものではなく、本明細書に開示されていない他の様々なコネクタ及びその製造方法にも通用する普遍的な特徴として理解される。
【００１４】
図１は、コネクタ９の概略的な斜視図である。図２は、コネクタ９の概略的な斜視図であり、図１の反対側が示される。コネクタ９の構造を具体的に説明するため、次のように方向が定義される。幅方向は、Ｌ，Ｒｉの間を延びる双頭矢印により特定される。後述の説明から分かるように、幅方向は、ロックカバー３０の回動軸に沿う方向に等しい。代替的として、幅方向を左右方向と呼ぶこともできる。厚み方向は、Ｕ，Ｄの間を延びる双頭矢印により特定される。前後方向は、Ｆ，Ｒｅの間を延びる双頭矢印により特定される。ＲｉからＬに向かう方向が左方と呼ばれ、反対が右方と呼ばれる。ＤからＵに向かう方向が上方と呼ばれ、反対が下方と呼ばれる。ＲｅからＦに向かう方向が前方と呼ばれ、反対が後方と呼ばれる。本段落で述べた方向は、本明細書の以下の記述又は図面の内容に照らして再定義可能であるものとする。
【００１５】
コネクタ９は、樹脂パーツと金属パーツの複合体であり、フレキシブル配線基板８（図７参照）を機械的に固定する役割とフレキシブル配線基板８を外部配線、ひいては外部回路に対して電気的に接続する役割を担う。外部配線は、例えば、コネクタ９が実装された基板（不図示）上の配線である。コネクタ９は、リフロー工程により実装基板に対して固定され得る。外部回路は、例えば、コネクタ９が実装された基板上の回路である。
【００１６】
図１及び図２に示すように、コネクタ９は、絶縁性のコネクタ本体１０と、コネクタ本体１０に設けられた複数のコンタクト端子２０と、コネクタ本体１０により回動可能に支持されたロックカバー３０と、コネクタ本体１０に対して取り付けられた１以上の押圧片４０を含む。ロックカバー３０は、コネクタ本体１０側にフレキシブル配線基板８を押圧するように構成されたロック部３４を有する。押圧片４０は、コネクタ本体１０とロックカバー３０の間でフレキシブル配線基板８が挟まれる時、フレキシブル配線基板８側にロック部３４を押圧するように構成される。コネクタ本体１０及びロックカバー３０は、プラスチック材料（例えば、ＬＣＰ）から成り、コンタクト端子２０及び押圧片４０は、導電性材料（例えば、りん青銅といった金属）から成る。コンタクト端子２０は、表面保護又は半田ぬれ性を確保するためにメッキ（例えば、金メッキ）が施され得る。
【００１７】
本実施形態においては、コンタクト端子２０及び押圧片４０は、互いに電気的に非接続であって、コネクタ本体１０に対して別々に設けられる。これによりフレキシブル配線基板８との良好な電気的な接続のためにコンタクト端子２０の形状を最適化することができる。また、コンタクト端子２０に対してバネ性を付与することができ、フレキシブル配線基板８との良好な接触が確保される。更には、コンタクト端子２０及び押圧片４０が互いに非接触となるように分離したことにより、コンタクト端子２０及び押圧片４０が接触せず、かつ導通せず、高周波信号の伝送のためにコンタクト端子２０の形状が最適化される。その結果、コンタクト端子２０は、信号伝送路以外の不要な部分を持たず、例えば、３０ＧＨｚ以上の高周波信号の伝送にコネクタ９を用いることができる。
【００１８】
コネクタ本体１０は、コネクタ９の幅方向（左右方向）において長尺であり、同方向において第１端部１１と第２端部１２を有する。第１端部１１を右側端部と呼び、第２端部１２を左側端部と呼んでも良い。コネクタ本体１０は、更に、第１端部１１と第２端部１２の間を延びる平板部１３と壁部１４を有する。平板部１３は、壁部１４の前方に間隔を開けて配置される。第１端部１１及び第２端部１２の各々に取付部１８が設けられ、各取付部１８に金属製の補強部材１９が取り付けられる。第１端部１１と第２端部１２の間でロックカバー３０が回動可能に軸支される。平板部１３の上面には、１以上のガイド突起、図示例では、第１及び第２ガイド突起１６，１７が設けられる。各ガイド突起１６，１７は、前方から後方に向かうに応じて徐々に上方に延びる傾斜面を有する。
【００１９】
図３及び図４に示すように、コネクタ本体１０には複数のコンタクト端子２０が設けられる。幾つかの実施形態では、コンタクト端子２０は、インサート成形によって部分的にコネクタ本体１０に埋め込まれ、コネクタ本体１０に固定される。図５に示すように、コンタクト端子２０は、フレキシブル配線基板８の端子８Ｔ（図１０参照）に接触するべきコンタクト部２１が設けられたバネ部２２と、コネクタ本体１０に埋め込まれた埋め込み部２３と、外部配線との電気的な接続のための屈曲部２４を含む。コンタクト部２１は、上方に凸状に湾曲している。バネ部２２は、コンタクト部２１に向かって漸次上方に延びる部分を含む。バネ部２２は、更に、コンタクト部２１を頂部とし、そこから前方に向かうに応じて漸次下方に延びる部分を含む。埋め込み部２３は、前後方向に平坦に延びる。屈曲部２４は、２箇所で屈曲している。屈曲部２４の後端部は、コネクタ９の実装基板上に載置される。コネクタ本体１０に対してコンタクト端子２０を圧入して固定する形態も想定される。
【００２０】
図３に示すように、複数のコンタクト端子２０がコネクタ９の幅方向に配列される。幾つかの実施形態では、複数のコンタクト端子２０は、少なくとも一つの信号端子２０Ｓと少なくとも一つのグランド端子２０Ｇの組み合わせから成るコンタクト端子２０の端子配列サブセット２０Ｕがコネクタ９の幅方向（ロックカバー３０の回動軸に沿う方向）に配列されて構成される。端子配列サブセット２０Ｕは、信号端子２０Ｓのペアと、信号端子２０Ｓのペアを挟むグランド端子２０Ｇのペアから構成された４端子サブセットである。端子配列サブセット２０ＵをＧＳＳＧ端子配列サブセットと呼ぶことができ、ここで、Ｇは、グランド端子を表し、Ｓは信号端子を表す。信号端子２０Ｓのペアは、差動信号の伝送のために用いられ得る。コネクタ９の幅方向において隣接する端子配列サブセット２０Ｕの間に押圧片４０が配置される。
【００２１】
各押圧片４０は、端子配列サブセット２０Ｕの配列方向において隣接する一方の端子配列サブセット２０Ｕに含まれる少なくとも一つの信号端子２０Ｓと他方の端子配列サブセット２０Ｕに含まれる少なくとも一つの信号端子２０Ｓの間に設けられる。高周波信号の伝送路である信号端子２０Ｓに対して押圧片４０が与え得る電気的な影響、例えば、寄生容量成分が低減される。
【００２２】
押圧片４０は、コネクタ９の幅方向（ロックカバー３０の回動軸に沿う方向）において隣接するコンタクト端子２０、図示例ではグランド端子２０Ｇの間に設けられる。押圧片４０は、幅方向において隣接する一方の端子配列サブセット２０Ｕに含まれるグランド端子２０Ｇと、他方の端子配列サブセット２０Ｕに含まれるグランド端子２０Ｇの間に配置される。高周波信号の伝送路である信号端子２０Ｓに対して押圧片４０が与え得る電気的な影響、例えば、寄生容量成分が低減される。
【００２３】
上述のように、ロックカバー３０は、コネクタ本体１０の第１端部１１と第２端部１２の間で回動可能に軸支される。ロックカバー３０は、コネクタ本体１０とは別に射出成形により成形され、コネクタ本体１０に対して取り付けられる。ロックカバー３０は、第１端部３１、第２端部３２、及び第１端部３１と第２端部３２の間を延びるカバー本体３３を有する。第１端部３１には右方に突出した凸部が設けられ、コネクタ本体１０の第１端部１１の凹部に対して嵌合する。第１端部３１に凹部が設けられ、コネクタ本体１０の第１端部１１の凸部が設けられる形態も想定される。第２端部３２には左方に突出した凸部が設けられ、コネクタ本体１０の第２端部１２の凹部に対して嵌合する。第２端部３２に凹部が設けられ、コネクタ本体１０の第２端部１２に凸部が設けられる形態も想定される。なお、参考までに、図７は、上述の凸部及び凹部の嵌合を模式的に示す。
【００２４】
図５に示すように、ロックカバー３０は、ロックカバー３０の回動軸に沿って延びるロック部３４を有する。ロック部３４は、ロックカバー３０の回動軸上に配される部分を含み得る。しかし、このような態様に限らず、ロック部３４が、ロックカバー３０の回動軸からオフセットして配置される形態も想定される。図示例に示すように、第１端部３１と第２端部３２の間において、複数のロック部３４が配置される形態が想定される。複数のロック部３４は、例えば、同軸上又は同一線上に配置される。好適には、各ロック部３４が、コネクタ９の幅方向に直交する断面において同一の断面形状を有するが、必ずしもこの限りではない。ロックカバー３０に設けられるロック部３４の個数は、コネクタ本体１０に対して取り付けられる押圧片４０の個数と同一であるが、必ずしもこの限りではない。
【００２５】
上述の形態の代替として、第１端部３１と第２端部３２の間において、一つのロック部３４が幅方向に沿って連続的に延びる形態が想定される。この形態では、コネクタ本体１０に対して取り付けられる複数の押圧片４０に対して共通の単一のロック部３４が用いられる。
【００２６】
ロック部３４は、ロックカバー３０の回動に応じてロックカバー３０の回動軸に関して回動する。ロック部３４は、押圧片４０の押圧部４４により下方に押圧されるべき部分である。ロック部３４は、コネクタ９の幅方向に直交する断面において１以上の（有利には複数の）弧状面を有する。図示例では、ロック部３４は、ロックカバー３０の回動軸に対して直交する断面において反対側を臨むように設けられた第１及び第２弧状面３４ｍ，３４ｎを含む。図５に示すように、ロックカバー３０がロック状態の時、ロック部３４の第１弧状面３４ｍが上方を臨み、第２弧状面３４ｎが下方を臨む。図６に示すように、ロックカバー３０が非ロック状態の時、ロック部３４の第１弧状面３４ｍが後方を臨み、第２弧状面３４ｎが前方を臨む。第１弧状面３４ｍは、第２弧状面３４ｎよりも大きい曲率半径を有する。第１弧状面３４ｍと第２弧状面３４ｎの間には第１弧状面３４ｍから第２弧状面３４ｎに向けてお互いに接近するテーパー状の傾斜面が設けられる。
【００２７】
ロック部３４は、コンタクト端子２０と協調してフレキシブル配線基板８を挟むように構成される。ロック部３４は、コンタクト端子２０、端的には、そのバネ部２２の直上に配置され得る。コンタクト端子２０によりフレキシブル配線基板８がロック部３４に向けて付勢された状態となり、コンタクト端子２０とロック部３４の間でフレキシブル配線基板８がより強固に挟まれることが促進される（図９，１０参照）。なお、図９，１０に示すように、コネクタ本体１０とロックカバー３０の間でフレキシブル配線基板８が挟まれる時、第１弧状面３４ｍと押圧部４４が接触し、第２弧状面３４ｎとフレキシブル配線基板８が接触する。
【００２８】
ロックカバー３０は、ロック部３４に隣接して形成された１以上のスロット３５を有する。ロックカバー３０にスロット３５を設けることにより、ロックカバー３０と押圧片４０の干渉が回避される。スロット３５は、ロック部３４に隣接する位置で、ロックカバー３０の上面３０ｐと下面３０ｑの間を貫通する。図５に示すように、ロックカバー３０がロック状態の時、押圧部４４（その前端部）がスロット３５上に配置される。図６に示すように、ロックカバー３０が非ロック状態の時、押圧部４４（その前端部）がスロット３５に挿入される。スロット３５は、矩形状の上側口及び下側口を有する。上側口は、下側口よりも広い開口面積を有する。
【００２９】
幾つかの形態では、ロックカバー３０の幅方向に複数のスロット３５が配置される。ロックカバー３０の幅方向に隣接するスロット３５の間には、幅方向に延びるカバー本体３３の部分が存在する。ロックカバー３０に設けられるスロット３５の個数は、ロックカバー３０に設けられるロック部３４の個数と同一であり得る。ロックカバー３０に設けられるスロット３５の個数は、押圧片４０に設けられる押圧部４４の個数と同一であり得る。ロックカバー３０の幅方向において隣接するスロット３５を統合して一つの幅広なスロットを形成することもできる。
【００３０】
コネクタ９の幅方向（ロックカバー３０の回動軸に沿う方向）において複数の押圧片４０が配列される。各押圧片４０は、ロックカバー３０の回動軸に対して直交するように配置された平板部分を含み（端的には、平板材であり）、例えば、プレス機による金属板の打ち抜き加工により製造される。押圧片４０の厚み方向は、コネクタ９の幅方向に一致する。他方、コンタクト端子２０の厚み方向は、コネクタ９の厚み方向に一致する。押圧片４０の厚み方向とコンタクト端子２０の厚み方向は直交している。結果として、コンタクト端子２０、すなわち信号端子２０Ｓに対する寄生容量成分が低減される。なお、金属板の打ち抜き加工と曲げ加工の組み合わせにより、図２に示す複数の個別の押圧片４０を一部品とすることもできる。
【００３１】
押圧片４０は、ロック部３４を下方に押圧する押圧部４４を有する。押圧部４４は、ロック部３４の回動を妨げないように適切に形状付けられる。押圧部４４は、ロック部３４の第１弧状面３４ｍを下方に押圧するための押圧面４４ｐとこれに隣接して設けられた逃がし面４４ｑを有する。ロックカバー３０がロック状態から非ロック状態に回動する時、ロック部３４の第１弧状面３４ｍは、押圧面４４ｐに接触又は対面した状態から逃がし面４４ｑに接触又は対面した状態になる。逃がし面４４ｑは、後方に向かうに応じて徐々に下降する傾斜面である。
【００３２】
押圧片４０は、少なくとも押圧片主部４１と回転阻止部４２を含む屈曲部材、端的には、Ｌ字形部材である。押圧片主部４１は、コネクタ９の前後方向（コネクタ９に対するフレキシブル配線基板８の挿脱方向）に延び、コネクタ本体１０のスロット１５に挿入される。回転阻止部４２は、コネクタ９の厚み方向に延び、コネクタ本体１０の壁部１４の後方に配置される。フレキシブル配線基板８がロック部３４とコンタクト端子２０の間に挟まれる時、コンタクト端子２０によりフレキシブル配線基板８が上方に付勢され、フレキシブル配線基板８によりロック部３４、続いて押圧片４０の押圧部４４が上方に押される。押圧片４０の押圧部４４が上方に押され、押圧片４０は、図５を正面視して時計回りの回転力を受ける。押圧片４０に回転阻止部４２を設けることにより、仮に押圧片４０が上述の回転力に応じて回転するとしても、押圧片４０の回転阻止部４２とコネクタ本体１０、特にその壁部１４の接触により、押圧片４０は、上述の回転力に対して十分に耐えることができる。これにより、コネクタ本体１０に対する押圧片４０のより強固な取付が促進される。
【００３３】
押圧片主部４１は、コネクタ本体１０の壁部１４のスロット１５に挿入される。スロット１５は、矩形状の前口と後口を有する。コネクタ本体１０に対して押圧片４０が取り付けられる時、スロット１５の後口を介してスロット１５内に押圧片主部４１が挿入される。この挿入の結果、押圧片主部４１がスロット１５の前口から十分に突出し、回転阻止部４２が壁部１４に接触又は近接して配置される。なお、スロット１５は、コネクタ９の幅方向において狭く、コネクタ９の厚み方向において長い開口である。コネクタ本体１０に対する押圧片４０の取り付けは、他の様々な態様が想定され、図示例に限定されるべきではない。コネクタ本体１０の壁部１４の上面に溝を設ける形態も想定される。
【００３４】
オプションとして、コネクタ本体１０は、誘電体５０を収容する収容部１０Ｈを含む。誘電体５０は、例えば、ＬＣＰベース導電性樹脂から成る。押圧片４０、特にその回転阻止部４２は、収容部１０Ｈから誘電体５０が脱落することを阻止する。誘電体５０は、高周波信号にリップルが生じることを抑制するために設けられる。
【００３５】
図７乃至図１０を参照してコネクタ９に対するフレキシブル配線基板８を取り付ける方法について説明する。図７に示すように、まず、ロックカバー３０をコネクタ本体１０から離間するように後方に回動して非ロック状態にする。ロックカバー３０が非ロック状態の時、平板部１３上にロックカバー３０が配されない。従って、ロックカバー３０により妨害されることなく、平板部１３上にフレキシブル配線基板８の一端を簡単に配置することができる。平板部１３上にはガイド突起１７が形成されている。従って、フレキシブル配線基板８を後方に移動させる時、フレキシブル配線基板８の挿入端がガイド突起１７により上方に変位し、コンタクト端子２０に衝突して停止してしまうことが回避又は抑制される。フレキシブル配線基板８は、ガイド突起１７との接触に応じて局所的に撓むことができる。コンタクト端子２０は、その前端からコンタクト部２１まで後方に向かうに応じて徐々に上方に延びる傾斜面を有する。このようにコンタクト端子２０自体がガイド性能を有する場合、ガイド突起１７を省略することもできる。
【００３６】
図８に示すように、フレキシブル配線基板８は、壁部１４の前壁面に衝突して停止する。フレキシブル配線基板８の適切な停止位置を決定するためのフレキシブル配線基板８に対して停止部をコネクタ本体１０に設けることができる。例えば、壁部１４の前壁面に停止用突起を設けることができる。
【００３７】
次に、カバー本体１０に接近するようにロックカバー３０を前側に回動させてロック状態とする（図９参照）。これによりロックカバー３０、特にカバー本体３３とロック部３４によりフレキシブル配線基板８が下方に押され、フレキシブル配線基板８によりコンタクト端子２０が下方に押される。結果として、図１０に示すように、ロックカバー３０とコンタクト端子２０の間でフレキシブル配線基板８が挟まれ、また、フレキシブル配線基板８の端子８Ｔがコンタクト端子２０のコンタクト部２１に接触して導通する。前後方向において、端子８Ｔとコンタクト部２１の接触箇所よりも前方にフレキシブル配線基板８とカバー本体３３の接触箇所が存在する。前後方向において、端子８Ｔとコンタクト部２１の接触箇所よりも後方にフレキシブル配線基板８とロック部３４の接触箇所が存在する。ロックカバー３０とフレキシブル配線基板８の接触箇所を２以上設けることにより、ロックカバー３０とコンタクト端子２０の間でフレキシブル配線基板８をより安定して保持することができる。なお、ロックカバー３０の下面３０ｑに幅方向に配置された複数の押圧突起を設けることもできる。
【００３８】
上述の教示を踏まえると、当業者は、各実施形態及び各特徴に対して様々な変更を加えることができる。請求の範囲に盛り込まれた符号は、参考のためであり、請求の範囲を限定解釈する目的で参照されるべきものではない。
【符号の説明】
【００３９】
８      ：フレキシブル配線基板
９      ：コネクタ
１０    ：コネクタ本体
１０Ｈ  ：収容部
１１    ：第１端部
１２    ：第２端部
１３    ：平板部
１４    ：壁部
１５    ：スロット
２０    ：コンタクト端子
２０Ｇ  ：グランド端子
２０Ｓ  ：信号端子
２０Ｕ  ：端子配列サブセット
２１    ：コンタクト部
２２    ：バネ部
２３    ：埋め込み部
２４    ：屈曲部
３０    ：ロックカバー
３１    ：第１端部
３２    ：第２端部
３３    ：カバー本体
３４    ：ロック部
３４ｍ  ：第１弧状面
３４ｎ  ：第２弧状面
３５    ：スロット
４０    ：押圧片
４１    ：押圧片主部
４２    ：回転阻止部
４４    ：押圧部
４４ｐ  ：押圧面
４４ｑ  ：逃がし面
５０    ：誘電体
【図１】
2020155243.tif 000003
【図２】
2020155243.tif 000004
【図３】
2020155243.tif 000005
【図４】
2020155243.tif 000006
【図５】
2020155243.tif 000007
【図６】
2020155243.tif 000008
【図７】
2020155243.tif 000009
【図８】
2020155243.tif 000010
【図９】
2020155243.tif 000011
【図１０】
2020155243.tif 000012